(57)【特許請求の範囲】
【請求項１】
錘部に釣針を取り付けたジクヘッドをルアー本体に装着したルアーであって、
前記釣針は、前記錘部から独立した動きをすることができ、
前記釣針の動きは、前記ジグヘッドを側面側から見たときに、前記釣針が前記釣針の前記錘部への取り付け部の周りを回転する動きであり、
前記釣針の針先は、前記回転により、前記ルアー本体からはみ出す方向に移動可能であり、
前記ルアー本体を側面側から見たときの前記ルアー本体の上面に、前記ルアー本体の外部に開口した開口部が形成されており、
前記ルアー本体内に前記釣針が格納された状態で、前記釣針を吸着する磁石又は磁性体が、前記ルアー本体に設けられ、
前記ルアー本体内には前記錘部を内包するための中空部が形成されており、
前記ルアー本体のうちの前記中空部から前記開口部にまで達し前記釣針の回転移動域を含む範囲は、前記ルアー本体の長手方向に沿って分割された分割部を含み、
前記ルアー本体のうちの少なくとも、前記中空部、前記開口部及び前記分割部を形成した部分を含む範囲は、軟質材料で形成されており、
前記ルアー本体の所定の位置にリングアイを介してフックが設けられ、
前記フックは、前記磁石又は前記磁性体に吸着されることにより、前記ルアー本体に沿わせて固定可能である、ルアー。
【請求項２】
前記ルアー本体を、上面から見てその長手方向に沿って２分割した一方を一方の半身と称し、残りの半身を他方の半身と称することとすると、
前記分割部の少なくとも一部において、１対の前記半身の間に隙間が存在する、請求項１に記載のルアー。
【請求項３】
前記ルアー本体は、前記中空部より上側であって前記分割部に隣接する位置に、前記釣針の少なくとも一部が当接することにより、前記釣針の針先が前記ルアー本体からはみ出す方向への移動を規制する、中実部を含む、請求項１又は２に記載のルアー。
【請求項４】
前記開口部の、前記ルアー本体の先端に近い端を前方側端とし、前記ルアー本体の後端に近い端を後方側端とすると、
前記釣針が前記開口部の前記前方側端に当接した状態で、前記釣針の先端と前記ルアー本体の上面との距離が最大となる、請求項１から３のいずれかの項に記載のルアー。
【請求項５】
前記開口部の、前記ルアー本体の先端に近い端を前方側端とし、前記ルアー本体の後端に近い端を後方側端とすると、
前記中実部の前記分割部に面する面は、前記前方側端から前記中空部に達しており、
前記中実部の前記分割部に面する面の少なくとも一部が、前記前方側端に当接した状態の前記釣針に接する、請求項３に記載のルアー。
【請求項６】
前記磁石又は磁性体が、前記ルアー本体内に配置された、請求項１から５のいずれかの項に記載のルアー。
【請求項７】
前記ルアーを側面側から見たときに、前記釣針が直接見えない、請求項１から６のいずかの項に記載のルアー。
【請求項８】
前記ルアー本体が、前記開口部の上に形成された１対の背びれを含み、１対の背びれの間に前記釣針の針先が配置されている、請求項１から７のいずれかの項に記載のルアー。
【請求項９】
前記ルアー本体が魚型である請求項１から８のいずれかの項に記載のルアー。
【請求項１０】
請求項１から９のいずれかの項に記載のルアーの作製に使用されるルアー本体であって、
前記ルアー本体を側面側から見たときの前記ルアー本体の上面に、前記ルアー本体の外部に開口した開口部が形成されており、
前記ルアー本体内に前記釣針が格納された状態で、前記釣針を吸着する磁石又は磁性体が、前記ルアー本体に設けられ、
前記ルアー本体内には前記錘部を内包するための中空部が形成されており、
前記ルアー本体のうちの前記中空部から前記開口部にまで達し前記釣針の回転移動域を含む範囲は、前記ルアー本体の長手方向に沿って分割された分割部を含み、
前記ルアー本体のうちの少なくとも、前記中空部、前記開口部及び前記分割部を形成した部分を含む範囲は、軟質材料で形成されており、
前記ルアー本体の所定の位置にリングアイを介してフックが設けられ、
前記フックは、前記磁石又は前記磁性体に吸着されることにより、前記ルアー本体に沿わせて固定可能である、ルアー本体。
【請求項１１】
前記ルアー本体を、上面から見てその長手方向に沿って２分割した一方を一方の半身と称し、残りの半身を他方の半身と称することとすると、
前記分割部の少なくとも一部において、１対の前記半身の間に隙間が存在する、請求項１０に記載のルアー本体。
【発明の詳細な説明】
【技術分野】
【０００１】
本発明は、改良された釣用ルアーに関する。
【背景技術】
【０００２】
従来、魚類の釣りに用いるルアーとして、ソフトベイト（ソフトスイムベイト）と呼ばれるルアーがある。
【０００３】
一般に、水中の木、岩、水底等の障害物のある場所に大きい魚が潜んでいる可能性が高いが、そのような場所にルアーを投入しようとすると、釣針が障害物に引っ掛かり易いという問題がある。
【０００４】
上記障害物への釣針の引っ掛かりが抑制されたルアーとして、例えば、下記特許文献１の図１及び図２等には、錘部に釣針を取り付けたジグヘッドをルアー本体に装着したルアーが開示されている。ジグヘッドは、錘と釣針とを一体にしたものである。また、下記特許文献２の図１等には、釣針の針先部がスリットに内没入した際に釣針を吸着する磁石が、ルアー本体内設けられたルアーが開示されている。
【０００５】
以下、図面を参照しながら、特許文献１に開示のルアーの一例についてより具体的に説明する。図１６は、ルアーの内部を示した側面図であり、図１７は、ルアーを下側面から見た斜視図である。ルアー本体２０を側面側から見た時の上下面に、ルアー本体２０の外部に開口したスリットが形成されており、上下面のスリットのうち一方のスリットは、釣針６０の先端部６０ｄを収納しており、他方のスリット１００から釣針６０の一部をはみ出させている。ルアー本体２０の内部には、ジグヘッド３０の錘部４０を包み込む中空部１１０と釣針６０を貫通させる貫通路１２０が形成されている。ルアーに魚が食い付いた状態で釣糸を矢印ｃの方向に引っ張ると、釣針６０は矢印ｄの方向に持ち上げられ、針先６０ｅが魚の口に突き刺さり、釣針６０が魚の口に引っ掛かることになる。
【先行技術文献】
【特許文献】
【０００６】
【特許文献１】特開２００９−７２１０９号公報
【特許文献２】特開２００２−８４９２７号公報
【発明の開示】
【発明が解決しようとする課題】
【０００７】
しかし、前記のような従来のルアーについて、魚の口に釣針がより深く突き刺さることが可能であることが望まれる。
【０００８】
そこで、本発明は、水中の障害物への引っ掛かりを防止し、且つ、魚の口に釣針が深く突き刺さることが可能なルアーを提供し、あわせてジグヘッドの着脱が可能なルアー本体を提供する。
【課題を解決するための手段】
【０００９】
本発明のルアーは、
錘部に釣針を取り付けたジクヘッドをルアー本体に装着したルアーであって、
前記釣針は、前記錘部から独立した動きをすることができ、
前記釣針の動きは、前記ジグヘッドを側面側から見たときに、前記釣針が前記釣針の前記錘部への取り付け部の周りを回転する動きであり、
前記釣針の針先は、前記回転により、前記ルアー本体からはみ出す方向に移動可能であり、
前記ルアー本体を側面側から見たときの前記ルアー本体の上面に、前記ルアー本体の外部に開口した開口部が形成されており、
前記ルアー本体内に前記釣針が格納された状態で、前記釣針を吸着する磁石又は磁性体が、前記ルアー本体に設けられ、
前記ルアー本体内には前記錘部を内包するための中空部が形成されており、
前記ルアー本体のうちの前記中空部から前記開口部にまで達し前記釣針の回転移動域を含む範囲は、前記ルアー本体の長手方向に沿って分割された分割部を含み、
前記ルアー本体のうちの少なくとも、前記中空部、前記開口部及び前記分割部を形成した部分を含む範囲は、軟質材料で形成されており、
前記ルアー本体の所定の位置にリングアイを介してフックが設けられ、
前記フックは、前記磁石又は前記磁性体に吸着されることにより、前記ルアー本体に沿わせて固定可能である。
【００１０】
本発明のルアーの作製に使用されるルアー本体は、
前記ルアー本体を側面側から見たときの前記ルアー本体の上面に、前記ルアー本体の外部に開口した開口部が形成されており、
前記ルアー本体内に前記釣針が格納された状態で、前記釣針を吸着する磁石又は磁性体が、前記ルアー本体に設けられ、
前記ルアー本体内には前記錘部を内包するための中空部が形成されており、
前記ルアー本体のうちの前記中空部から前記開口部にまで達し前記釣針の回転移動域を含む範囲は、前記ルアー本体の長手方向に沿って分割された分割部を含み、
前記ルアー本体のうちの少なくとも、前記中空部、前記開口部及び前記分割部を形成した部分を含む範囲は、軟質材料で形成されており、
前記ルアー本体の所定の位置にリングアイを介してフックが設けられ、
前記フックは、前記磁石又は前記磁性体に吸着されることにより、前記ルアー本体に沿わせて固定可能である。
【発明の効果】
【００１１】
本発明によれば、水中の障害物への引っ掛かりを防止し、魚の口に釣針が深く突き刺さることを実現でき、ジグヘッドの着脱も可能である。
【図面の簡単な説明】
【００１２】
【図１】図１は、本発明の一実施形態に係るルアーの側面図である。
【図２】図２は、図１に示した本発明の一実形態に係るルアーの上面図である。
【図３】図３は、図１に示した本発明の一実施に係るルアーの下面図である。
【図４】図４は、図１に示した本発明の一実形態に係るルアーの部分断面図である。
【図５】図５は、図１に示した本発明の一実形態に係るルアーを構成するルアー本体の断面図である。
【図６】図６は、図１に示した本発明の一実形態に係るルアーを構成するルアー本体が上下方向に潰れた状態を説明する斜視図である。
【図７】図７は、図１に示した本発明の一実形態に係るルアーのVII-VII'端面図である。
【図８】図８は、図１に示した本発明の一実形態に係るルアーを構成するジグヘッドの斜視図である。
【図９】図９は、図８に示したジグヘッドの長手方向における部分断面図である。
【図１０】図１０は、本発明の他の実施形態に係るルアーの側面図である。
【図１１】図１１は、本発明の他の実施形態に係るルアーの長手方向と直交する端面図である。
【図１２】図１２は、本発明の他の実施形態に係るルアーの側面図である。
【図１３】図１３は、図１２に示した本発明の他の一実施形態に係るルアーの部分断面図である。
【図１４】図１４は、本発明の他の実施形態に係るルアーの側面図である。
【図１５】図１５は、図１４に示した本発明の他の一実施形態に係るルアーの部分断面図である。
【図１６】図１６は、従来のルアーの一例の内部を示した側面図である。
【図１７】図１７は、図１６に示した従来のルアーの一例を下側面から見た斜視図である。
【発明を実施するための最良の形態】
【００１３】
本発明のルアーは、釣針可動型のジグヘッドを装着しているので、「前記ルアー本体内に前記釣針が格納された状態」、すなわち、釣針が磁石に吸着された状態から、磁石による釣針の吸着が解除されて釣針をルアー本体から大きくはみ出した状態に変化させることができる。「前記ルアー本体内に前記釣針が格納された状態」では、釣針が磁石又は磁性体に吸着されているので、ルアーを水中に投じた際にルアーに加わる衝撃等により、釣針がルアー本体から大きくはみだすことが抑制され、魚が食い付くまでは、水中の障害物への引っ掛かりが防止されている。
【００１４】
また、ルアー本体には、錘部を装着する中空部が形成されており、ルアー本体のうちの中空部から開口部にまで達し釣針の回転移動域を含む範囲は、ルアー本体の長手方向に沿って分割された分割部が形成されている。ルアー本体のうち少なくとも、開口部、中空部及び分割部を形成した部分を含む範囲は、軟質材料で形成されている。そのため、ルアーに魚が食い付くと、ルアー本体のうちの開口部及び分割部を形成した部分を含む範囲が上下方向に潰れて開口部及び分割部が開き、釣針の、針先を含む先端部がルアー本体から剥き出しになるとともに、ルアー本体の変形に伴って釣針が磁石又は磁性体から離れ易くなる。この状態で、釣糸を引っ張ると、魚の口に釣針が深く突き刺さる。
【００１５】
また、分割部が中空部から開口部にまで達しているので、ジグヘッドのルアー本体に対する着脱が可能であり、ルアー本体が破損しても、ジグヘッドに破損がなければ、ジグヘッドを再利用することができる。
【００１６】
本発明のルアーの一態様において、ルアー本体を上面から見たとき、ルアー本体を上面から見てその長手方向に沿って２分割したうちの一方を一方の半身と称し、残りの半身を他方の半身と称することとすると、前記分割部の少なくとも一部において、１対の前記半身の間に隙間が存在していると好ましい。この構成によれば、ルアー本体と釣針との接触による摩擦を低減できるので釣針の回転がよりスムーズに行えるとともに、ジグヘッドのルアー本体に対する着脱が容易であり、好ましい。尚、本発明において「一方の半身」と「他方の半身」は、相互に対称であってもよいが、そうでなくてもよい。
【００１７】
本発明のルアーの一態様において、ルアー本体内が、中空部より上側であって、分割部に隣接する位置に、釣針の少なくとも一部が当接することにより、釣針の針先がルアー本体からはみ出す方向への移動を制限する、中実部を含んでいると好ましい。この構成によれば、ルアー本体のうちの中空部周辺の強度を担保できるとともに、釣針が中実部に当接した時に釣針の先端とルアー本体を側面側から見たときの上面との距離が最大となるように、中実部を設ければ、魚の口に釣針がより深く突き刺さり易くなる。
【００１８】
本発明のルアーの一態様において、開口部の、ルアー本体の先端に近い端を前方側端とし、ルアー本体の後端に近い端を後方側端とすると、釣針が開口部の前方側端に当接した状態で、釣針の先端とルアー本体の上面との距離が最大となると好ましい。この構成によれば、魚の口に釣針がより深く突き刺さり易くなる。
【００１９】
本発明のルアーの一態様において、開口部の、ルアー本体の先端に近い端を前方側端とし、ルアー本体の後端に近い端を後方側端とすると、中実部の分割部に面する面は、前方側端から中空部に達しており、中実部の分割部に面する面の少なくとも一部が、前方側端に当接した状態の釣針に接すると好ましい。この構成によれば、魚がルアーに食い付いた後に釣糸を引いた際に、ルアー本体が裂けることを抑制でき、好ましい。尚、分割部と中実部は互いに隣接しているので、分割部を形成するルアー本体２の内面は、「中実部の分割部に面する面」でもある。
【００２０】
本発明のルアーの一態様において、磁石又は磁性体が、ルアー本体内に配置されていると好ましい。この構成によれば、例えば、ルアー本体が魚型である場合、ルアー本体の外に磁石又は磁性体が設けられるよりも、実物の魚に似たルアーを提供できる。
【００２１】
本発明のルアーの一態様において、ルアーを側面側から見たときに、釣針が直接見えないように、釣針全体がルアー本体内に格納されていると好ましい。例えば、ルアー本体が、開口部の上に形成された１対の背びれを含んでいる場合、１対の背びれの間に釣針の先端部が配置されていてもよい。ルアーを側面側から見たときに、釣針が直接見えないように、釣針全体がルアー本体内に格納されていると、例えば、ルアー本体が魚型である場合、より実物の魚に似たルアーを提供できる。尚、ルアー本体が、透明又は半透明な材料から形成される場合もある。この場合、釣針がルアー本体越しに透けて見えることがあるが、ルアーを側面側から見たときに、釣針全体がルアー本体内に格納されていれば、「釣針が直接見えない」と言える。
【００２２】
本発明のルアーの一態様において、ルアー本体の所定の位置にフックを備え、フックを磁石または磁性体に吸着されることにより、ルアー本体に沿わせて固定可能としてもよい。このような構成の場合、フックはリングアイを介して、ジクヘッドに固定されていると好ましい。
【００２３】
以下、本発明の一実施の形態について、図面を参照しながら説明する。図１は、本発明の一実施形態に係るルアーの側面図を、図２は、図１に示したルアー１の上面図を、図３は、図１に示したルアー１の下面図を示している。図４は、図１に示したルアー１の部分断面図であり、図５は、図１に示したルアー１を構成するルアー本体の断面図であり、図６は、ルアー１を構成するルアー本体２が上下方向に潰れた状態を説明する斜視図であり、図７は、図１に示したルアー１のVII-VII'端面図である。尚、説明の便宜のため、ルアー１の長手方向両端のうちの、釣糸係止部５に近い側の端を「先端」とし、その反対側の端を「後端」と呼び、ある位置から、「先端」に向かう方向を「前方」、「後端」に向かう方向を「後方」と呼ぶ。また、図１に示したルアー１の長手方向と直交し、上面及び下面を通る方向を「上下方向」と呼ぶ。
【００２４】
本図に示したルアー１は、ルアー本体２内に、錘付きの釣針であるジグヘッド３を装着している。ルアー１は、ソフトベイト型のルアーであり、ルアー本体２全体は、軟質ゴム又は軟質樹脂の軟質材料で形成している。ルアー本体２の上面には、外部に開口した開口部１０が形成されている。図２において、ルアー本体２をその長手方向に沿って、上半分を一方の半身２ａと称し、下半分を他方の半身２ｂと称することとすると、一方の半身２ａと他方の半身２ｂは、各々、開口部１０の長手方向に沿って、背びれ２ｃ，２ｂを含んでいる。本図に示したルアー１では、釣針６の針先６ｅを含む先端部６ｄが、１対の背びれ２ａ，２ｂの間に配置されているので（図１及び図４等参照）、ルアー１を側面側から見たとき、釣針６は全く見えない。
【００２５】
ジグヘッド３は、例えば、錘部４に、釣糸係止部５と釣針６とを取り付けたものである。釣針６は、錘部４に釣針６の端部を中心に回転可能に取り付けられている。このことにより、ジグヘッド３は、釣針６が錘部４から独立した動きをすることができる釣針可動型のジグヘッドを構成している。ジグヘッド３の構造及び動作の詳細については、後に図８、９を参照しながら説明する。
【００２６】
図８は、ジグヘッド３の斜視図を示し、図９は、図８に示したジグヘッド３の長手方向における部分断面図である。錘部４は、釣糸係止部５及び釣針６との接続部４ｂと、当該接続部４ｂに装着され、接続部４ｂよりも比重が大きい錘ボール４ａとを含む。釣針６は、一端が錘部４への取付け部６ａであり、他端が針先６ｅである。釣針６は、これらの両端の間に、錘部４から延伸した延伸軸部６ｂ、針先６ｅが錘部４側に向くように湾曲した湾曲部６ｃ、針先６ｅを含む先端部６ｄにより構成されている。
【００２７】
図９に示されるように、釣針６の取付け部６ａは、リング状に曲げ加工されている。このリング状部分の内側に、軸７が通っている。このことにより、釣針６は、軸７を中心として矢印ａ方向、及び矢印ｂ方向に回転可能である。
【００２８】
図４等に示されるように、ルアー本体２の内部には、接着剤等を用いて磁石９が固定されている。ルアー本体２内に格納された釣針６は、磁石９に当接することにより、矢印a方向の回転移動が制限される。磁石９の釣針６に対する吸着力は、ルアー１を水中に投じた際にルアー１に加わる衝撃や、水中でルアー１が木、岩、水底等の障害物に接触したときに加わる外力程度では、釣針６が磁石９から離れない程度に設定している。このような設定は、磁力の調整により可能である。
【００２９】
従って、ルアー１は、想定した外力を超える大きな外力が加わらない限り、ルアー本体２内に釣針６が格納された状態が維持される。磁石９による釣針６の吸着が解除されて釣針６がルアー本体２から大きくはみだすような大きな外力としては、魚が食い付いたときの外力、魚が食い付いた状態で、釣糸を意図的に引っ張ったときに加わる外力を想定している。
【００３０】
ルアー本体２は、下面に開口部を有しておらず、当該下面は、ルアー本体２の外部に対して閉じている。また、ルアー本体２内に釣針６が格納された状態では、釣針６が磁石９に当接し吸着している。従って、ルアー本体２内の内面（分割部１２を囲う面）及び/又は磁石９によって、釣針６の矢印ｂ方向の回転移動が制限される。釣針６の針先６ｅは、水中の障害物への引っ掛かりを防止でき、及びより実物の魚に似たルアーを提供できるという理由から、ルアー本体２内に完全に収まっていると好ましい。磁石９が、ルアー本体２内の最も下に位置する部位（ルアー本体内の最下部）に配置されていると、ルアー本体２が上下方向に潰れ易いという理由で好ましいが、磁石９は、「前記ルアー本体内に前記釣針が格納された状態」を保持し易いという理由から、前記ルアー本体内に前記釣針が格納された状態の釣針の最も下に位置する部位（以下「釣針の最下部」とも言う。）又はその近傍と当接する位置に配置されていると好ましく、釣針の最下部と当接する位置に配置されているとより好ましい。
【００３１】
このように、釣針６は、矢印ａ方向の回転移動及び矢印ｂ方向の回転移動の両方が規制されている。従って、ルアー１は、水中の障害物に接触し、姿勢が変化しても、魚が食い付くまでは、図１に示したルアー本体２と釣針６との位置関係は維持される。すなわち、本実施の形態に係るルアー１は、魚が食い付くまでは、釣針６の針先６eがルアー本体２からはみ出すことが防止されている。
【００３２】
図１及び図２等に示されるように、ルアー本体２には、ルアー本体２の外部に開口した開口部１０としてスリットが形成されている。ジグヘッド３はルアー本体２内に装着されている。このため、図５に示されるように、ルアー本体２の内部には、錘部４を包み込む中空部１１が形成されている。また、ルアー本体２のうちの中空部１１から開口部１０にまで達し釣針６の回転移動域を含む範囲は、ルアー本体２の長手方向に沿って分割された分割部１２を含んでいる。ルアー本体２に分割部１２が形成されているため、例えば、ルアー１のうちの針先６ｅよりも前方部分に魚が食いつくと、図６に示されるように、魚の口の中では、分割部１２と長手方向同位置における、一方の半身２ａと他方の半身２ｂとが離れるように、ルアー本体２が上下方向に潰れた状態になる。また、本実施形態では、分割部１２において、図７に示されるように、一方の半身２ａと他方の半身２ｂの間に隙間１４が存在するため、ルアー１のうちの針先６ｅよりも前方部分に魚が食いつくと、ルアー本体２が上下方向により一層潰れやすく、好ましい。
【００３３】
図５に示されるように、ルアー本体２を側面側から見たときの分割部１２の形成領域は、少なくとも矢印ａ、ｂ方向に回転した時に釣針が動く領域である回転移動域１２ａを含んでいる。開口部１０のルアー本体２の先端に近い端を前方側端１０ａとし、ルアー本体２の後端に近い端を後方側端１０ｂとすると、分割部１２のうちの回転移動域１２ａよりも後方部分１２ｂのルアー本体２の上面からの深さＷ（ルアー本体２が背びれ２ｃ、２ｄを含む場合は、前方側端１０ａと前方側端１０ｂとを結ぶ仮想線１０ｃ（図５における一点鎖線）からの深さＷ）は、開口部１０の後方側端１０ｂに近づくにつれて浅くなっていること好ましい。このような形態では、ジグヘッド３のルアー本体２への装着の容易性とルアー本体２の弾性強度の担保の両立が行い易く、好ましい。尚、「弾性強度」とは、ルアー本体を曲げた状態からもとの状態に戻ろうとする強度を意味し、弾性強度が低下するとは、曲がった状態から復元しづらくなることを言う。
【００３４】
図４に示されるように、釣針６が矢印ａ方向に回転して、例えば、開口部１０の前方側端１０ａに当接した状態で、釣針の先端とルアー本体を側面側から見たときの上面との距離Ｚが最大となるように、開口部１０の前方側端１０ａの位置が設定されていると好ましい。この場合、魚の口に釣針６がより深く突き刺さり易くなる。ルアー本体２内に前記釣針６が格納された状態（釣針６が磁石９に吸着した状態）から、釣針６が開口部１０の前方側端１０ａに当接した状態になるまでの釣針６の回転角度θは、魚の口に釣針６がより深く突き刺さり易いという理由から、３０°〜４５°が好ましい。
【００３５】
分割部１２を形成するルアー本体２の内面は、釣針６が矢印ａ方向に回転して、開口部１０の前方側端１０ａに当接した状態で、釣針の延伸軸部６ｂが当接する面１３ａ（図４及び図５参照）を含んでいると好ましい。また、ルアー本体２は、中空部１１より上側であって、分割部１２に隣接する位置に、釣針６の少なくとも一部が当接することにより、釣針の針先がルアー本体からはみ出す方向への移動を制限する、中実部１３を含んでいると好ましい。中実部１３は、釣針６が開口部１０の前方側端１０ａに当接した状態で、釣針６の延伸軸部６ｂの少なくとも一部が当接する面１３ａを含む。この構成によれば、釣針６の回転に伴って、開口部１０の前方側端１０ａが裂けることが抑制される。
【００３６】
図５に示されるように、ルアー本体２の分割部１２よりも後方側部分１４は、高い弾性強度を担保する観点から、中身の詰まった中実であると好ましい。
【００３７】
図７は、図１のVII-VII'端面図である。分割部１２を構成する一対の半身２ａ、２ｂ間の距離（隙間１４の幅Ｙ）は、大きすぎると、ルアー本体２の弾性強度が低下し、ルアーの泳ぎ姿勢が悪くなるため好ましくない。従って、隙間１４の幅Ｙは、釣針６の矢印ａ及び矢印ｂ方向の回転がスムーズに行える程度、例えば、釣針の直径と等しいか、好ましくはそれよりも大きく、より好ましくは釣針（但し、針先は除く）の直径の２倍、更に好ましくは３倍以上であり、具体的には、好ましくは４ｍｍ以上８ｍｍ以下である。
【００３８】
隙間１４の幅Ｙは、ルアー本体２の長手方向に沿って一定である必要はなく異なっていてもよい。また、隙間１４の幅Ｙは、上下方向に沿って一定である必要もなく異なっていてもよい（図７参照）。釣針６の回転がスムーズに行えるという理由から、分割部１２のうちの少なくとも回転移動域１２ａ（図５参照）における隙間１４の幅が、上記幅Ｙの好ましい範囲の値であると好ましい。また、釣針６の回転がスムーズに行え、且つ、ルアー本体２の弾性強度の担保の観点から、分割部１２のうちの回転移動域１２ａにおける幅のみが、上記幅Ｙの好ましい範囲の値であり、分割部１２のうちのそれ以外の部分（例えば、後方部分１２ｂ）の幅は、上記幅Ｙの好ましい範囲の値よりも小さくてもよい。
【００３９】
分割部１２は、中空部１１とつながっている。このことにより、開口部１０から、分割部１２を通って錘部４を中空部１１に収めることができる。このようにして、ルアー本体２内にジグヘッド３を装着することができる。
【００４０】
即ち、この構成によれば、ルアー本体２内へのジグヘッド３の着脱が可能になり、軟質材料であるルアー本体２を弾性変形させながら、開口部１０を入り口として、ジグヘッド３をルアー本体２に内に押し込むようにして装着することができる。逆の手順により、ルアー本体２からジグヘッド３を取り外すこともできる。
【００４１】
ジグヘッド３の着脱を可能としたことにより、ルアー本体２が破損しても、ジグヘッド３に破損がなければ、ジグヘッド３を再利用することができる。すなわち、破損したルアー本体２からジグヘッド３を取り外し、このジグヘッド３を別途用意した新たなルアー本体２に装着すればよい。この場合、完成品のルアーを新たに購入する必要はなく、ルアー本体２のみを購入すればよいことになる。
【００４２】
図１から図９を用いて説明した本発明のルアーの一実施形態では、ルアー本体２が１対の背びれ２ｃ，２ｄを含んでいるが、ルアー本体２は、背びれ２ｃ，２ｄを備えていなくてもよい。この場合、釣針６全体は、ルアー本体２の上面より下に配置されていると好ましい。
【００４３】
図１から図９を用いて説明した本発明のルアーの一実施形態では、磁石９全体がルアー本体２内に配置されているが、磁石９の一部又は全部がルアー本体２の外側に配置されていてもよいし、ルアー本体２の下面から突出はしていない状態で磁石９の表面の一部がルアー本体２から露出していてもよい。釣針６が磁石で形成されている場合、磁石９は磁性体で形成されていてもよい。磁石９のルアー本体２への固定方法は特に限定されず、嵌合等による方法でもよい。
【００４４】
図１から図９を用いて説明した本発明のルアーの一実施形態では、釣針６全体が、ルアー本体２の内部にあるが、本発明の効果が損なわれない程度で、釣針６の一部、例えば、針先６ｅが、ルアー本体２から僅かにはみ出していてもよい。
【００４５】
図１から図９を用いて説明した本発明のルアーの一実施形態では、釣針６の可動機構は、図９のようにリング状の取付け部６ａに軸７を通した構成にしているが、この構成に限るものではない。例えば、軸７に釣針６を接合し軸７が回転する構成であってもよい。すなわち、釣針６の可動機構は、ジグヘッド３を図９のように側面側から見たときに、釣針６が釣針６の錘部４への取付け部の周りを回転する動きをする構成であればよい。
【００４６】
図１から図９を用いて説明した本発明のルアーの一実施形態では、ルアー本体２全体を軟質材料で形成したソフトベイト型のルアーの例で説明したが、ルアー本体２の一部が硬質材料で形成されていてもよい。
【００４７】
図１から図９を用いて説明した本発明のルアーの一実施形態では、開口部１０の前方側端１０ａに当接した際、中身の詰まった中実部１３の分割部１２に面する面１３ａの全面が釣針６と接しているが、前方側端１０ａの裂けを抑制可能であれば、当該面１３ａの一部のみ、例えば、当該面１３ａのうちの開口部１０の前方側端１０ａの近傍のみが当接してもよい。
【００４８】
以下、ルアー１の使用時の動作について説明する。図１において、釣糸係止部５に釣糸を取り付けた状態で、ルアー１は水中に投入される。水中に投入された後のルアー１は、水中を走行し、又は漂うことになる。このとき、図１に示したように、釣針６全体は、ルアー本体２の内部にあり、針先６ｅはルアー本体２からはみ出していない。また、前記の通り、本実施の形態に係るルアー１は、ルアー１が水中の障害物に接触しても、釣針６が障害物に引っ掛かることを防止している。
【００４９】
このことにより、狙った場所への投入の確実性が高まることになり、ルアー１を、木や岩等の障害物のあるところに、あえて積極的に投入することが可能になる。障害物のある場所には、大型魚が潜んでいる可能性が高く、本実施形態に係るルアー１は、釣り対象を大型魚とする場合に、特に有利になる。
【００５０】
尚、図１等では、ジグヘッド３の錘部４は、ルアー本体２のうち魚の頭部に相当する端部に配置されており、錘ボール４ａは、この端部のうち下側よりに配置されている。この錘部４の配置によれば、ルアー１の重心は、錘部４を取り付ける前の状態と比べると、下側に移動し、ルアー１は低重心となる。ルアー１は、水中では頭部が水底側に向くことになるが、釣糸を矢印ｃ方向に引くことにより、低重心であるルアー１は、図１のような水平状態の姿勢を保ちながら、安定して走行することができる。
【００５１】
次に、ルアー１に魚が食い付くと、この感触は釣り竿を持つ使用者に伝わることになる。このとき、ルアー１は魚の口内にあるので、自由な動きが拘束されている。また、釣糸係止部５は錘部４から偏心した位置にある。従って、図４において、使用者が釣糸を矢印ｃ方向に引っ張ると、錘部４には釣針係止部５を中心として、矢印ｄ方向に回転させる力が作用する。
【００５２】
錘部４が矢印ｄ方向に回転すると、釣針６は磁石９に当接した状態で、錘部４とともに回転しようとする。この際、磁石９が支点となって「てこの原理」により、釣針６の先端部６ｄを持ち上げる方向に力が発生する。加えて、ルアー１に魚が食い付き、ルアー本体１が上下方向に潰れ、釣針６の、針先６ｅを含む先端部６ｄがルアー本体２から剥き出しになると、釣針６が磁石９から離れ易くなっているので、釣針６は、図１の２点鎖線で示したように、上方向に持ち上げられることになる。
【００５３】
従って、ルアー１が魚の口内で自由な動きが拘束された状態で、矢印ｃ方向に引っ張られると、釣針６は矢印ａ方向に持ち上げられることになる。この動作により、釣針６の針先６ｅが、魚の口に突き刺さって釣針６が魚の口に引っ掛かることになる。また、魚がルアー１に食い付いた際に既に魚の口に釣針６の針先６ｅが突き刺さっている場合は、上記動作により、針先６ｅは、さらに魚の口に深く突き刺さることになる。いずれにしても、魚の口内では、ルアー本体２が上下方向に押し潰されることにより、釣針６が大きく露出し得、しかも可動式ゆえに矢印ａ方向の回転がスムーズに行えることから、ルアー本体２に針先が干渉することなく魚の口に釣針６が深く突き刺さることが可能である。
【００５４】
また、ルアー１に魚が食い付く前は、図１等に示したように、釣針６の先端部６ｄはルアー本体２の上面に近接している。このことにより、ルアー本体２が上下方向に押し潰されると、釣針６の先端部６ｄはルアー本体２から直ぐにはみ出すことになり、釣針６が魚の口に引っ掛かり易くなる。
【００５５】
釣針６が魚の口に引っ掛かった後においても、魚が暴れると、ルアー１は揺り動かされることになる。本実施の形態に係るジグヘッド３は、前記の通り、釣針６は、ルアー本体２に保持されている錘４から独立して動くことができる。このため、釣針６が魚の口に引っ掛かった状態で、ルアー１が揺り動かされても、釣針６は、図４の矢印ａ、ｂ方向に回転しながら、ルアー本体２の動きとは独立した動きをすることも可能になる。すなわち、釣針６はルアー本体２の動きに追従せず、釣針６の引っ掛かり部の動きに追従するといった動作が生じ得ることになる。従って、本実施の形態のような釣針可動型のジグヘッド３を備えたルアー１は、釣針６の外れ防止にも有利になる。
【００５６】
図１０に示されるように、本発明のルアーの他の実施態様は、例えば、磁石９よりも前方に配置されたフック１５を備えていてもよい。フック１５は、磁石９の磁力によりルアー本体２に沿わせて固定可能としてもよい。このような構成の場合、フック１５は、錘部４に直接又は間接的に固定されたリングアイ１６を介して、ジクヘッド３の錘部４に固定されていると好ましい。
【００５７】
図７に示されるように、ルアー本体２の分割部１２において、一対の半身２ａ，２ｂ間に、例えば、幅Ｙの隙間１４が存在していると、釣針６とルアー本体２との接触による摩擦を低減でき、釣針６の回転がよりスムーズに行えるとともに、ジグヘッド３のルアー本体２に対する着脱が容易であるという理由から、好ましい。しかし、図１１に示されるように、ルアー本体２の分割部において、一対の半身２ａ，２ｂ間に隙間が無くても、本発明の効果は奏されるので、このような形態も本発明に包含される。
【００５８】
図１２及び図１３に示されるように、本発明のルアーの他の実施態様では、ジグヘッド３が、錘部４と釣糸係止部５と釣針６に加えて、磁石または磁性体９を保持するための保持部材８を更に含んでいる。保持部材８は、例えば、棒状体又は板状体であり、保持部材８の所定の位置には、磁石または磁性体９が固定されている。また、保持部材８は、釣針６が保持部材８に当接することにより、釣針６の矢印ｂ方向の回転移動を制限する。このようなジグヘッド３を用いれば、磁石または磁性体９を、ルアー本体２の上下方向中央付近に配置することができる。この実施形態では、釣針６の回転移動域１２ａは、ルアー本体２のうちの、保持部材８よりも上方に在り、分割部１２は、ルアー本体２のうちの、保持部材８よりも上方に在る。保持部材８の、ルアー本体２の後端に近い部分が、ルアー本体２内に埋入されているので、魚がルアーに食いつく等し、釣針６に磁石９から離れる方向の力が加わり、釣針６が矢印ａ方向に回転移動しても、磁石９は、釣針６に追従することなく、ルアー本体２の上下方向中央付近に保持される。
【００５９】
図１４及び図５に示されるように、本発明のルアーの他の実施態様は、ジグヘッド３が、錘部４（第１錘部４）と釣糸係止部５と釣針６に加えて、磁石または磁性体９を保持するための保持部材８と、第２錘部１７とを更に含む。第２錘部１７は、ルアー本体２内において、第１錘部４に、例えば、金属棒等からなる連結部１８を介して連結されており、第２錘部１７には、リングアイ１６が固定されている。リングアイ１６は、ジグヘッド３がルアー本体２に装着された状態で、ルアー本体２の外側に露出しており、リングアイ１６には、フック１５が装着されている。フック１５の３つの針の１つをルアー本体２に差し込めば、フック１５を、ルアー本体２に沿わせ、フック１５の針先がルアーの先端側を向くように、ルアー本体２に固定できる。
【産業上の利用可能性】
【００６０】
以上のように、本発明によれば、水中への障害物への引っ掛かりを防止し、魚から外れにくいルアーを実現でき、ジグヘッドの着脱も可能にできるので、魚類釣り用のルアーとして有用である。
【符号の説明】
【００６１】
１            ルアー
２            ルアー本体
２ａ          一方の半身
２ｂ          他方の半身
２ｃ，２ｄ    背びれ
３            ジグヘッド
４            錘部（第１錘部）
５            釣糸係止部
６            釣針
６ａ          取付け部
６ｂ          延伸軸部
６ｃ          湾曲部
６ｄ          先端部
６ｅ          針先
７            延出部
９            磁石又は磁性体
１０        開口部
１０ａ      前方側端
１０ｂ      後方側端
１１        中空部
１２        分割部
１２ａ      回転移動域
１３        中実部
１３ａ      中実部の前記分割部に面する面
１４        隙間
１５        フック
１６        リングアイ
１７        第２錘部
１８        連結部
Ｚ          釣針の先端とルアー本体の上面との距離
【図１】
0006646402.tif 000002
【図２】
0006646402.tif 000003
【図３】
0006646402.tif 000004
【図４】
0006646402.tif 000005
【図５】
0006646402.tif 000006
【図６】
0006646402.tif 000007
【図７】
0006646402.tif 000008
【図８】
0006646402.tif 000009
【図９】
0006646402.tif 000010
【図１０】
0006646402.tif 000011
【図１１】
0006646402.tif 000012
【図１２】
0006646402.tif 000013
【図１３】
0006646402.tif 000014
【図１４】
0006646402.tif 000015
【図１５】
0006646402.tif 000016
【図１６】
0006646402.tif 000017
【図１７】
0006646402.tif 000018